(57)【要約】【課題】受信装置を搭載する基板の小型化を図れる受信装置を提供する。【解決手段】受信装置３において、チューナ部１１は高周波信号を中間周波信号に変換するチューナ回路部が実装される第１基板３２を有し、本体部１２は中間周波信号に所定の処理を施す回路部が実装される第２基板４１を有する。第２基板４１は基板取付部材５１に取り付けられ、基板取付部材５１の第２基板４１が取り付けられる取付面の裏側の面には、第２基板４１と対向するように所定の第３基板が取り付けられるようになっている。チューナ部１１は、第２基板４１の基板取付部材５１と対向する面の裏面側に、第１基板３２と第２基板４１とが離れて対向するように配置される。【選択図】図２
2010028634.tif 000002
【特許請求の範囲】
【請求項１】
アンテナで受信した高周波信号を中間周波信号に変換するチューナ部と、
前記チューナ部から出力される中間周波信号に所定の処理を施す本体部と、を備える受信装置であって、
前記チューナ部は、前記高周波信号を前記中間周波信号に変換するチューナ回路部が実装される第１基板と、前記第１基板を取り付けるシャーシと、を有し、
前記本体部は、前記中間周波信号に前記所定の処理を施す回路部が実装される第２基板を有し、
前記第２基板は、板状の取付面を有する基板取付部材に取り付けられ、
前記基板取付部材の前記第２基板が取り付けられる前記取付面（「表面」とする）の裏側の面（「裏面」とする）には、前記第２基板と対向するように所定の第３基板が取り付けられるようになっており、
前記基板取付部材には、
前記表面側及び前記裏面側において、各面に対して略垂直な方向に突出し、前記表面側では前記第２基板と、前記裏面側では前記第３基板と接触して、前記第２基板と前記第３基板とを電気的に接続する接続端子と、
前記第３基板への取り付けに用いられ、前記裏面側から略垂直な方向に突出する脚部と、が形成されており、
前記チューナ部は、前記第２基板の前記基板取付部材と対向する面の裏面側に、前記第１基板と前記第２基板とが離れて対向するように配置されることを特徴とする受信装置。
【請求項２】
前記チューナ部は、前記第１基板の全体が前記第２基板と重なるように配置されることを特徴とする請求項１に記載の受信装置。
【請求項３】
前記第１基板から突出する接続端子と、前記第２基板から突出する接続端子と、を接続して前記第１基板と前記第２基板とが電気的に接続されることを特徴とする請求項１又は２に記載の受信装置。
【請求項４】
前記第１基板と前記第２基板とを電気的に接続するための接続端子が、前記第１基板と前記第２基板のうちの一方からのみ突出していることを特徴とする請求項１又は２に記載の受信装置。
【請求項５】
前記第１基板から突出する接続端子を、前記第２基板と電気的に接続することなく、前記第３基板と接続することを特徴とする請求項１又は２に記載の受信装置。
【請求項６】
前記チューナ部の前記シャーシからはアース用端子が突出し、
前記アース用端子は、前記第２基板及び前記基板取付部材を貫通して前記第３基板に取り付けられることを特徴とする請求項１から５のいずれかに記載の受信装置。
【請求項７】
前記第１基板のアースと前記第２基板のアースとが、前記第３基板を介して接続されることを特徴とする請求項１から６のいずれかに記載の受信装置。
【請求項８】
前記第２基板にはＩＣが設けられ、
前記ＩＣには放熱板が当接され、
前記シャーシの一部が前記放熱板と当接している、或いは前記放熱板と一体となっていることを特徴とする請求項１から７のいずれかに記載の受信装置。
【請求項９】
前記シャーシには、前記第１基板の実装面と平行な２つの蓋が設けられ、
前記シャーシの一部は、前記２つの蓋のいずれか一方であることを特徴とする請求項８に記載の受信装置。
【請求項１０】
請求項１から９のいずれかに記載の受信装置と、
前記受信装置から出力される信号を受け取って、映像及び音声を出力する映像表示装置と、
を備えることを特徴とする受信システム。
【発明の詳細な説明】
【技術分野】
【０００１】
本発明は、デジタルテレビジョン放送に代表される高周波信号を受信するための受信装置に関する。また、本発明は、受信装置と映像表示装置とを備えた受信システムに関する。
【背景技術】
【０００２】
デジタルテレビジョン放送に代表される高周波信号を受信するための受信装置に関して、従来、種々の開発が行われている（例えば、特許文献１又は２参照）。従来の受信装置の構成について、図１１を参照しながら説明する。なお、図１１は、従来の受信装置の構成を示す図で、図１１（ａ）は受信装置を上から見た場合の概略平面図、図１１（ｂ）は受信装置を側面から見た場合の概略平面図である。なお、図１１（ａ）においては、説明の便宜のため、シャーシ１１５、１２７（これらについては後述する）の上面はないものとして図示している。また、図１１においては、従来の受信装置１００が実装される基板１０９（破線で示す。以下ではメイン基板と表現する）についても図示している。
【０００３】
図１１に示すように、従来の受信装置１００は、大きくはチューナ部１０１と、本体部１０２と、を備える。チューナ部１０１と本体部１０２とは、メイン基板１０９に取り付けられる。
【０００４】
チューナ部１０１は、チューナ入力端子１１１と、チューナ回路基板１１２と、を備える。チューナ回路基板１１２には、チューナ回路部１１３と、チューナ出力端子１１４とが設けられる。例えばデジタルテレビジョン放送等の放送波が図示しないアンテナによって受信されると、チューナ入力端子１１１を介して放送信号がチューナ回路部１１３に入力される。チューナ回路部１１３は、放送信号の中から所定周波数の信号を抽出（選局）し、中間周波数の信号（中間周波信号）に変換する。得られた中間周波信号は、チューナ出力端子１１４を介して本体部１０２に出力される。
【０００５】
なお、チューナ部１０１のチューナ回路部１１３はシャーシ１１５によって覆われ、このシャーシ１１５がメイン基板１０９に取り付けられることで、チューナ部１０１はメイン基板１０９に固定される。
【０００６】
本体部１０２には、本体部回路基板１２１が設けられ、この本体部回路基板１２１には、本体部入力端子１２２と、第１回路部１２３と、第２回路部１２４と、第３回路部１２５と、本体部出力端子１２６と、が備えられる。チューナ部１０１から出力された中間周波信号は、本体部入力端子１２２を介して第１回路部１２３に入力される。
【０００７】
第１回路部１２３は、受け取った信号に復調処理を施して第２回路部１２４に出力する。第２回路部１２４は、受け取った信号に施されている圧縮処理を解除して第３回路部１２５に出力する。第３回路部１２５は、圧縮処理の解除により復元されたデジタルの映像及び音声信号を、アナログの映像及び音声信号に変換する。そして、アナログの映像及び音声信号は、本体部出力端子１２６を介して、例えば映像表示装置等が備える回路基板（メイン基板１０９）に出力される。
【０００８】
なお、本体部１０２を構成する本体部回路基板１２１の全体は、シャーシ１２７によって覆われ、このシャーシ１２７がメイン基板１０９に取り付けられることで、本体部１０２はメイン基板１０９に固定される。また、本体部回路基板１２１に設けられる本体部入力端子１２２と本体部出力端子１２６は、シャーシ１２７の外側に引き出されている。
【特許文献１】特開２０００−６８６７３号公報
【特許文献２】特開平１１−３４１３７５号公報
【発明の開示】
【発明が解決しようとする課題】
【０００９】
上述のように、従来の受信装置１００においては、チューナ部１０１と本体部１０２とは、いずれもメイン基板１０９上に取り付けられる構成となっている。そして、チューナ部１０１から出力される信号は、メイン基板１０９を介して本体部１０２へと入力されるようになっている。しかしながら、この構成の場合、メイン基板１０９上に受信装置１００を構成する２つの構成部（チューナ部１０１と本体部１０２）を取り付ける必要があり、メイン基板１０９の大きさが大きくなってしまうという問題があった。このために、従来の受信装置１００を用いる場合においては、システム全体の小型化が図り難いといった問題があった。
【００１０】
以上の点を鑑みて、本発明の目的は、受信装置を搭載する基板の小型化を図れる受信装置を提供することである。また、本発明の他の目的は、そのような受信装置を備え、システム全体の小型化が可能な受信システムを提供することである。
【課題を解決するための手段】
【００１１】
上記目的を達成するために本発明は、アンテナで受信した高周波信号を中間周波信号に変換するチューナ部と、前記チューナ部から出力される中間周波信号に所定の処理を施す本体部と、を備える受信装置であって、前記チューナ部は、前記高周波信号を前記中間周波信号に変換するチューナ回路部が実装される第１基板と、前記第１基板を取り付けるシャーシと、を有し、前記本体部は、前記中間周波信号に前記所定の処理を施す回路部が実装される第２基板を有し、前記第２基板は、板状の取付面を有する基板取付部材に取り付けられ、前記基板取付部材の前記第２基板が取り付けられる前記取付面（「表面」とする）の裏側の面（「裏面」とする）には、前記第２基板と対向するように所定の第３基板が取り付けられるようになっており、前記基板取付部材には、前記表面側及び前記裏面側において、各面に対して略垂直な方向に突出し、前記表面側では前記第２基板と、前記裏面側では前記第３基板と接触して、前記第２基板と前記第３基板とを電気的に接続する接続端子と、前記第３基板への取り付けに用いられ、前記裏面側から略垂直な方向に突出する脚部と、が形成されており、前記チューナ部は、前記第２基板の前記基板取付部材と対向する面の裏面側に、前記第１基板と前記第２基板とが離れて対向するように配置されることを特徴としている。
【００１２】
本構成によれば、受信装置の本体部が有する第２基板は、基板取付部材に取り付けられて第３基板（受信装置が実装される基板）に搭載される。このために、第２基板を第３基板に搭載するにあたって、従来の構成で必要とされた第２基板全体を覆うシャーシが不要となる。第２基板全体をシャーシで覆う構成の場合は、シャーシの外部に接続端子を形成する必要があったため（図１１参照）に、第３基板が大型化することがあったが、本構成によれば、上述のように第２基板を覆うシャーシが不要であり、第３基板の小型化が図れる。更に、受信装置のチューナ部が、チューナ部が有する第１基板が第２基板と離れて対向するように配置される（例えばチューナ部が本体部の上部に配置される状態をイメージすると良い）ので、従来の構成（図１１参照）に比べて第３基板を更に小型化できる。
【００１３】
上記構成の受信装置において、前記チューナ部は、前記第１基板の全体が前記第２基板と重なるように配置されるのが好ましい。このような構成を有することで、チューナ部の構成部分が第２基板からはみ出す量を極力減らすことができ、第３基板（受信装置が実装される基板）の小型化に有利である。
【００１４】
上記構成の受信装置において、前記第１基板から突出する接続端子と、前記第２基板から突出する接続端子と、を接続して前記第１基板と前記第２基板とが電気的に接続されることとしても良い。また、上記構成の受信装置において、前記第１基板と前記第２基板とを電気的に接続するための接続端子が、前記第１基板と前記第２基板のうちの一方からのみ突出していることとしても良い。これらによれば、チューナ部と本体部との接続を、第３基板を介することなく接続でき、第３基板にチューナ部と本体部とを電気的に接続する配線パターンが不要となる。また、別形態として、上記構成の受信装置において、前記第１基板から突出する接続端子を、前記第２基板と電気的に接続することなく、前記第３基板と接続することとしても良い。この場合、第３基板にチューナ部と本体部とを電気的に接続する配線パターンが必要となるが、この場合には本体部のデジタルノイズをチューナ部に入れないようにできるという利点を有する。
【００１５】
上記構成の受信装置において、前記チューナ部の前記シャーシからはアース用端子が突出し、前記アース用端子は、前記第２基板及び前記基板取付部材を貫通して前記第３基板に取り付けられることとしても良い。この構成によれば、受信装置を小型とし易い。
【００１６】
上記構成の受信装置において、前記第１基板のアースと前記第２基板のアースとが、前記第３基板を介して接続されることとしても良い。これにより、第３基板でアースパターンを纏めることとなり、アースパターンのために必要と成る面積を減らすことが可能となる。
【００１７】
上記構成の受信装置において、前記第２基板にはＩＣが設けられ、前記ＩＣには放熱板が当接され、前記シャーシの一部が前記放熱板と当接している、或いは前記放熱板と一体となっていることとしても良い。これにより、放熱面積を増大させることができ、ＩＣで発生する熱を効率良く放熱することが可能となる。また、この構成において、前記シャーシに、前記第１基板の実装面と平行な２つの蓋が設けられる場合には、前記シャーシの一部が、前記２つの蓋のいずれか一方であることとしても良い。
【００１８】
また、上記目的を達成するために本発明の受信システムは、上記構成のうちのいずれかかの受信装置と、前記受信装置から出力される信号を受け取って、映像及び音声を出力する映像表示装置と、を備えることを特徴としている。
【００１９】
この構成によれば、受信装置が実装される基板の小型化が図れるために、受信システム全体の小型化が可能となる。
【発明の効果】
【００２０】
本発明によれば、受信装置を搭載する基板の小型化を図れる受信装置を提供できる。また、本発明によれば、そのような受信装置を備えることにより、受信システムの小型化を図れる。
【発明を実施するための最良の形態】
【００２１】
以下、本発明の受信装置及びそれを用いた受信システムの実施形態について、図面を参照しながら説明する。
【００２２】
まず、本実施形態の受信システムについて、図１を参照しながら説明する。図１は、本実施形態の受信システムのブロック図である。図１に示すように、本実施形態の受信システム１は、大きくは、アンテナ２と、受信装置３と、映像表示装置４と、を備える。
【００２３】
アンテナ２は、例えばデジタルテレビジョン放送等の高周波信号を受信するためのものである。受信装置３は、チューナ部１１と本体部１２とを備える。チューナ部１１は、アンテナ２によって受信した高周波信号の中から所定周波数の信号を抽出（選局）し、中間周波数の信号（以下では中間周波信号と表現する）に変換する。本体部１２は、チューナ部１１から出力される中間周波信号を受け取り、受け取った信号を処理して映像及び音声信号に変換する。
【００２４】
映像表示装置４は、表示処理部１３と音声処理部１４とを備える。表示処理部１３は、受信装置３から出力される映像信号を処理して、映像表示装置４が有する図示しない画面に映像を表示させる。音声処理部１４は、受信装置３から出力される音声信号を処理して、映像表示装置４が有する図示しないスピーカから音声を出力させる。
【００２５】
次に、本実施形態の受信装置３について、図２から図８を参照しながら詳細に説明する。なお、図２は、本実施形態の受信装置３の構成を示す概略斜視図である。また、図３は、本実施形態の受信装置３の構成を示す概略側面図で、チューナ部１１及び放熱板６１（後述する）が取り付けられる前の状態を示している。図４は、本実施形態のチューナ部１１の構成を示す概略平面図で、シャーシ３５の上蓋３５ａが取り付けられていない状態を示している。図５は、本実施形態の本体部１２の構成を示す概略平面図である。図６は、本実施形態の本体部１２が取り付けられる基板取付部材５１の構成を示す図である。図７は、図６にＡで示す範囲の拡大図である。図８は、図６にＢで示す範囲の拡大図である。なお、図６においては、基板取付部材５１を表側から見たもの（平面図）を中央に表し、上下左右の各方向から見たもの（側面図）を、その周囲に表している。
【００２６】
上述のように、受信装置３は、チューナ部１１と本体部１２とを備えるが、本実施形態においては、チューナ部１１は、図２に示すように本体部１２の上部に配置される構成となっている。このように構成されるチューナ部１１と本端部１２の構成について、以下順に説明する。
【００２７】
まず、チューナ部１１の構成について説明する。図３及び図４を参照して、チューナ部１１は、チューナ入力端子３１と、チューナ回路基板（請求の範囲に記載の第１基板が該当する）３２と、を備える。チューナ回路基板３２には、チューナ回路部３３と、複数のチューナ出力端子３４と、が設けられる。
【００２８】
チューナ入力端子３１は、アンテナ２（図１参照）によって受信された放送信号がチューナ回路部３３へと入力できるように設けられる。チューナ回路部３３は、放送信号の中から所定周波数の信号を抽出（選局）し、中間周波数の信号（中間周波信号）に変換する。得られた中間周波信号は、チューナ出力端子３４を介して本体部１２に出力される。チューナ出力端子３４は、チューナ回路基板３２に対して略垂直な方向を向くように取り付けられている。
【００２９】
また、チューナ部１１は略箱状のシャーシ３５を備え、このシャーシ３５によってチューナ回路部３３は覆われた状態となっている。チューナ回路基板３２は、このシャーシ３５に取り付けられる。なお、シャーシ３５の上下は着脱自在となっており、シャーシ３５は上蓋３５ａと下蓋３５ｂを備える。本実施形態においては、下蓋３５ｂは上蓋３５ａより大きく、後述の放熱板６１側に向かって延出し、放熱板６１と当接する構成となっている。また、シャーシ３５の下面からは、アースをとるために４つのＧＮＤ接続端子３６ａ、３６ｂ、３６ｃ、３６ｄが突出している。各ＧＮＤ接続端子３６ａ〜３６ｄは、シャーシ３５の下面の四隅近傍から突出している。
【００３０】
次に、本体部１２の構成について説明する。図５に示すように、本体部１２には、本体部回路基板（請求の範囲に記載の第２基板が該当する）４１が設けられ、この本体部回路基板４１には、第１回路部４２と、第２回路部４３と、第３回路部４４と、端子接続パターン４５ａ〜４５ｃと、が備えられる。第１回路部４２は、入力された信号に復調処理を施すための回路を有している。第２回路部４３は、入力された信号に施されている圧縮処理を解除するための回路を有している。第３回路部４４は、入力されたデジタルの映像及び音声信号を、アナログの映像及び音声信号に変換するための回路を有している。
【００３１】
なお、図３に示すように、本体部回路基板４１上には集積回路（ＩＣ：Integrated Circuit）４７が配置される。このため、図２に示すように、ＩＣ４７で発生する熱を放熱すするために、ＩＣ４７の上部にＩＣ４７に当接するように放熱板６１が配置される。この放熱板６１は上述のように、チューナ部１１を構成するシャーシ３５の下蓋３５ｂと当接しており、放熱可能な面積が広くなっている。このために、ＩＣ４７で発生する熱を効率良く放熱可能となっている。
【００３２】
端子接続パターン４５ａ〜４５ｃは、その詳細は後述する基板取付部材５１（図６参照）に形成される接続端子５１３ａ〜５１３ｃを挿入可能となるように設けられ、本体部回路基板４１を貫通する孔を有している。端子接続パターン４５ａ（以下では第１端子接続パターン４５ａと記載する）は、第１回路部４２に接続される。端子接続パターン４５ｂ（以下では第２端子接続パターン４５ｂと記載する）は、第１回路部４２や第３回路部４４に接続される。端子接続パターン４５ｃ（以下では第３端子接続パターン４５ｃと記載する）は、各回路部４２〜４４に接続される。
【００３３】
上述のように、本実施形態の受信装置３においては、チューナ部１１が本体部１２の上に配置される。そして、チューナ部１１からはＧＮＤ接続端子３６ａ〜３６ｄが突出している。このために、本体部回路基板４１には、ＧＮＤ接続端子３６ａ〜３６ｄが貫通できるようにＧＮＤ接続端子用貫通孔４６ａ〜４６ｄが設けられている。
【００３４】
このように形成される本体部１２の本体部回路基板４１は、基板取付部材５１に取り付けられる。従来は、図１１に示されるように、シャーシ１２７で本体部回路基板１２１全体を覆う構成としていた。しかし、この構成の場合、シャーシ１２７の存在により受信装置１００の大きさが大型化してしまう。このため、本実施形態においては、受信装置３の小型化を図るために、本体部回路基板４１をシャーシで覆うのではなく、基板取付部材５１に取り付けることにしている。以下、基板取付部材５１の構成について、主に図６から図８を参照しながら説明する。
【００３５】
図６及び図７を参照して、基板取付部材５１は、板状部５１１と、第１スペーサ５１２ａと、第２スペーサ５１２ｂと、接続端子５１３と、脚部５１４と、を備える。
【００３６】
板状部５１１は、所定の絶縁材質で形成されており、主面（最も広い面）の外縁が長方形である平板について、その内部を平面視長方形の形に切り抜いて形成される形状となっている。言い換えれば、板状部５１１は額縁状の枠体（フレーム）となっている。基板取付部材５１を構成する主要部分は、この板状部５１１である。以下では、基板取付部材５１のことをフレーム５１と表現する。
【００３７】
なお、板状部５１１の主面の外縁形状は、本体部回路基板４１の実装面の外縁形状と、ほぼ合同になるように設定されている。
【００３８】
第１スペーサ５１２ａは、所定の厚みを持つ板状体であり、フレーム５１の裏面側において、板状部５１１の四隅（裏面側における各角の近傍）に取り付けられている。これにより第１スペーサ５１２ａは、フレーム５１がメイン基板９に取り付けられたときに、その厚み分のスペースＳＰ２（段差と見ることもできる）を双方間に生じさせる（図３参照）。
【００３９】
第２スペーサ５１２ｂは、所定の厚みを持つ板状体であり、フレーム５１の表面側において、板状部５１１の四隅（表面側における各角の近傍）および板状部５１１におけるその他の所定箇所に取り付けられている。これにより第２スペーサ５１２ｂは、本体部回路基板４１がフレーム５１に取り付けられたときに、その厚み分のスペースＳＰ１（段差と見ることもできる）を双方間に生じさせる（図３参照）。
【００４０】
フレーム５１が備える接続端子５１３には、第１接続端子５１３ａ、第２接続端子５１３ｂ及び第３接続端子５１３ｃの３種類がある。いずれの接続端子５１３も、弾性の有る金属（導電性部材）にて細長い形状に形成される。
【００４１】
第１接続端子５１３ａは、板状部５１１の第１の辺５１１ａ（図６の左側の辺）に沿って複数設けられる。第１接続端子５１３ａは板状部５１１の主面に対して略垂直な方向に延び出すように、板状部５１１の表面のみに設けられる。第１接続端子５１３ａは、第２スペーサ５１２ｂの厚みよりも大きく突出しており、本体部回路基板４１が板状部５１１の取付面（表面）に取り付けられた状態で、第１端子接続パターン４５ａが有する孔を貫通する。そして、第１接続端子５１３ａは、チューナ部１１に設けられるチューナ出力端子３４と接続され、チューナ部１１から出力される信号を本体部１２に伝送する役目を果たす。
【００４２】
第２接続端子５１３ｂは、板状部５１１の第２の辺５１１ｂ（図６の上側の辺）に沿って複数設けられる。また、第３接続端子５１３ｃは、板状部５１１の第３の辺５１１ｃ（図６の右側の辺）に複数設けられる。第２接続端子５１３ｂと第３接続端子５１３ｂとは、いずれも板状部５１１の主面を、略垂直な方向に貫くように設けられている。言い換えれば、第２接続端子５１３ｂと第３接続端子５１３ｃとは、板状部５１１の表側と裏側から双方に突出している。これにより、フレーム５１の取付面（表面）に取り付けられる本体部回路基板４１と、取付面の裏側面（裏面）に取り付けられるメイン基板９（図３参照）とを、電気的に接続することができるようになっている。
【００４３】
なお、各接続端子５１３ｂ、５１３ｃは、裏面側においては第１スペーサ５１２ａの厚みよりも大きく突出しており、表面側においては第２スペーサ５１２ｂの厚みよりも大きく突出している。そのため、各スペーサ５１２ａ、５１２ｂに接触するように回路基板が取り付けられたとき、接続端子５１３ｂ、５１３ｃを当該回路基板に接触させることが容易と成っている。第２接続端子５１３ｂの表側に突出する部分は、第２端子接続パターン４５ｂが有する孔を貫通する。また、第３接続端子５１３ｃの表側に突出する部分は、第３端子接続パターン４５ｃが有する孔を貫通する。
【００４４】
また、メイン基板９は受信装置３が搭載される基板であり、請求の範囲に記載の第３基板に該当する。また、メイン基板９は、本実施形態においては、映像表示装置４に備えられる基板が該当する。
【００４５】
また、第２接続端子５１３ｂは、本体部１２から出力される信号をメイン基板９の映像及び音声処理を行う回路へと伝送するものである。また、第３接続端子５１３ｃは、本体部回路基板４１に形成される各回路部４２〜４４をメイン基板９に設けられるグランドパターン（アースパターン）に接続するものである。
【００４６】
また、第１接続端子５１３ａ、第２接続端子５１３ｂ及び第３接続端子５１３ｄのうちの幾つかについては、図８に示す如く、一部が「く」の字型となるように曲げ加工の施された、折り曲げ部５１３ｓが設けられている。これにより各接続端子５１３ａ〜５１３ｃが、各端子接続パターン４５ａ〜４５ｃの孔やメイン基板９に設けられる接続端子挿入用孔９２（図９参照）に挿入されると、折り曲げ部５１３ｓが当該孔の側面に接触する。その結果、折り曲げ部５１３ｓには、当該折り曲げが解除される方向に力が加えられ、この折り曲げ状態を保とうとするような（つまり、孔の内部側面からほぼ径方向に向かう）弾性力が生ずる。これは、フレーム５１と回路基板との相対的位置を、極力安定させるようにするためのものである。
【００４７】
脚部５１４は、フレーム５１の裏面側において、板状部５１１の四隅の各々から、主面に対して垂直に突出するように設けられている。また第１スペーサ５１２ａや各接続端子５１３ｂ、５１３ｃよりも、板状部５１１から大きく突出している。なお、脚部５１４は、図７に示すように第１スペーサ５１２ａを介して突出するようにしても良く、板状部５１１から直接突出するようにしても良い。
【００４８】
また、図７に示すように、脚部５１４における突出部分の先端近傍には、その突出部分の側面からフック部５１４ａ（小さな突起）が突出している。このフック部５１４ａは、後述する通り、フレーム５１がメイン基板９に取り付けられた後、容易に抜けないようにするためのものである。このような構成により脚部５１４は、メイン基板９への、フレーム５１の取り付けに用いられる。
【００４９】
上述のように、本実施形態の受信装置３においては、チューナ部１１が本体部１２の上に配置される。そして、チューナ部１１からはＧＮＤ接続端子３６ａ〜３６ｄが突出している。このために、フレーム５１には、本体部回路基板４１と同様に、ＧＮＤ接続端子３６ａ〜３６ｄが貫通できるようにＧＮＤ接続端子用貫通孔５１５ａ〜５１５ｄが設けられている（図６参照）。
【００５０】
次に本実施形態の受信装置３を組み立てる手順について説明する。ここで示す手順については一例であり、本発明は、ここで示す手順に限定して解釈されるものではないのは当然である。
【００５１】
まず、本体部回路基板４１がフレーム５１に取り付けられる。具体的には、先ず本体部回路基板４１の裏面側とフレーム５１の表面側が対向するように、また本体部回路基板４１とフレーム５１の外縁同士が、主面に垂直な方向から見て重なるように、本体部回路基板２がフレーム５１に載置される。このとき、フレーム５１に備えられている各接続端子５１３ａ〜５１３ｃは、対応する端子接続パターン４５ａ〜４５ｃの孔を貫通することになる。このように載置された状態で各接続端子５１３ａ〜５１３ｃは、対応する端子接続パターン４５ａ〜４５ｃに、はんだ付けによって固定される。なお、本体部回路基板４１とフレーム５１の外縁同士は互いに略合同な長方形であるため、上述の通り、互いに重なるように本体部回路基板４１をフレーム５１に載置させることが可能である。そのため、本体部回路基板４１とフレーム５１との位置合わせが容易となっている。
【００５２】
ここで先述した通り、接続端子５１３ａ〜５１３ｃの幾つかには折り曲げ部５１３ｓが設けられている。そのため本体部回路基板４１がフレーム５１に載置された段階で、この折り曲げ部５１３ｓが、端子接続パターン４５ａ〜４５ｃの孔の内部側面から径方向に弾性力を加えることになる。そのため、本体部回路基板４１とフレーム５１との位置関係が不安定となる（本体部回路基板４１がぐらつく）ことを極力抑えることが可能となっており、当該はんだ付け工程の実行が容易となっている。
【００５３】
また、本体部回路基板４１は、フレーム５１に載置されたとき、第２スペーサ１２ｂに接触する。これにより本体部回路基板４１と板状部５１１とは接触せず、図３に示す通り、双方間には第２スペーサ１２ｂの厚み分のスペースＳＰ１が生じることになる。そのため、本体部回路基板４１とフレーム５１との接触面積が比較的小さくなっており、本体部回路基板４１が放熱し易いようになっている。また、本体部回路基板４１における回路パターンが板状部５１１に接触することを、極力回避することが可能となっている。
【００５４】
また、本体部回路基板４１がフレーム５１に載置されたとき、本体部回路基板４１に設けられるＧＮＤ接続端子用貫通孔４６ａ〜４６ｄと、フレーム５１に設けられるＧＮＤ接続端子用貫通孔５１５ａ〜５１５ｄとが重なるように、両貫通孔は形成されている。
【００５５】
本体部回路基板４１がフレーム５１に取り付けられると、チューナ部１１が本体部１２上に搭載される。具体的には、チューナ部１１のシャーシ３５から突出するＧＮＤ接続端子３６ａ〜３６ｄが、本体部回路基板４１に設けられるＧＮＤ接続端子用貫通孔４６ａ〜４６ｄ及びフレーム５１に設けられるＧＮＤ接続端子用貫通孔５１５ａ〜５１５ｄを貫通するように、チューナ部１１が取り付けられる。そして、チューナ出力端子３４と第１接続端子５１３ａとがはんだ付けによって接続される。また、チューナ部１１を取り付ける際に、チューナ部１１のシャーシ３５の下蓋３５ｂが放熱板６１と当接するように取り付ける。
【００５６】
なお、本実施形態においては、チューナ部１１は、チューナ回路基板３２と本体部回路基板４１とが離れて対向するように配置される。また、本実施形態においては、チューナ回路基板３１の全体が本体部回路基板４１と重なり合うように配置されている。このように配置することにより、メイン基板９の小型化を図りやすい。ただし、この構成に限定する趣旨ではなく、必要に応じて、チューナ回路基板３１の一部が本体部回路基板４１からはみ出るような構成等としても構わない。
【００５７】
次に、受信装置３をメイン基板９に取り付ける手順について、図９を参照しながら説明する。図９は、本実施形態の受信装置３をメイン基板９に載置させる様子を説明するための図である。
【００５８】
先ず図９に示すように、脚部５１４がメイン基板９に予め設けられた脚部挿入用孔９１に挿入されるように、フレーム５１がメイン基板９に載置される。なお脚部挿入用孔９１の各々は、脚部５１４の突出部がスムーズに挿入され得る程度の大きさに設定されており、また各脚部５１４の位置に対応した位置に設けられている。
【００５９】
これにより、脚部５１４と脚部挿入用孔９１は、フレーム５１をメイン基板９に載置させる工程において、フレーム５１とメイン基板９との相対的な位置関係を定める役割をも果たしている。そのため、フレーム５１をメイン基板９に取り付ける工程が手作業にてなされる場合、当該工程において、各脚部５１４を位置決めのための目印として利用することが可能となっている。
【００６０】
また、メイン基板９には、フレーム５１に設けられた各接続端子５１３ｂ、５１３ｃとチューナ部１１のＧＮＤ接続端子３６ａ〜３６ｄの位置に対応して、接続端子挿入用孔９２及びＧＮＤ接続端子挿入孔９３も備えられている。そのため、フレーム５１がメイン基板９に載置される際、各接続端子５１３ｂ、５１３ｃは各接続端子挿入用孔９２に挿入され、各ＧＮＤ接続端子３６ａ〜３６ｄは各ＧＮＤ接続端子挿入孔９３に挿入されることとなる。ＧＮＤ接続端子挿入孔９３の孔の形状は、ＧＮＤ接続端子３６ａ〜３６ｄを挿入し易いように平面視楕円状に設けられている。各ＧＮＤ接続端子３６ａ〜３６ｄは各ＧＮＤ接続端子挿入孔９３に挿入されることで、メイン基板９に形成されるアースパターンに接続される。
【００６１】
なお、フレーム５１がメイン基板９に載置されたときには、脚部５１４は脚部挿入用孔９１を貫通し、その結果、脚部５１４の先端に設けられているフック部５１４ａが、メイン基板９の裏面側（フレーム５１と対向する面の裏側）に引っ掛かるようになっている。また更に接続端子５１３の折り曲げ部５１３ｓが、接続端子挿入用孔９２の内部側面から径方向に弾性力を加えるようになっている。
【００６２】
これらの結果、フレーム５１がメイン基板９に載置された後、メイン基板９から容易に外れないようになっている。また、この状態で、各接続端子５１３ｂ、５１３ｃ及び各ＧＮＤ接続端子３６ａ〜３６ｄとメイン基板９とは、互いにはんだ付けにより固定されることになるから、当該はんだ付けの工程が容易なものとなっている。
【００６３】
また、メイン基板９は、フレーム５１がメイン基板９に載置されたとき、第１スペーサ５１２ａに接触する。これによりメイン基板９と板状部５１１とは接触せず、図３に示すように、双方間には第１スペーサ５１２ａの厚み分のスペースＳＰ２が生じることになる。そのため、メイン基板９とフレーム５１との接触面積が比較的小さくなっており、メイン基板９が放熱し易いようになっている。
【００６４】
ここで図５におけるＸ−Ｘ´間の概略的な断面図（但し、接続端子などは省略し、メイン基板９を加えている）を、図１０に示す。本図に示すように、フレーム５１における板状部５１１、第１スペーサ５１２ａ及び第２スペーサ５１２ｂを足した厚み（図中のｔ１）は、本体部回路基板４１の裏面側から突出している部分（例えば信号処理を行う装置を備えたことによるもの）４８の高さ（図中のｔ２）よりも、大きくなるように設定されている。
【００６５】
なお上述したｔ１は、フレーム５１における、本体部回路基板４１に接触する面とメイン基板９に接触する面との距離と見ることもできる。このように設定されていることにより、フレーム５１がメイン基板９に取り付けられる際に、本体部回路基板４１の裏面側における突出部分４８がメイン基板９と干渉しないようになっている。
【００６６】
次に本実施形態に係る受信装置３の動作内容について説明する。まず、チューナ入力端子３１には、アンテナ２によって受信された放送信号が入力される。なお、ここでの放送信号は、デジタル放送（テレビ放送）に係るものであり、テレビ番組のコンテンツ情報（デジタルの映像や音声に係る情報）に、圧縮処理と変調処理が施されて生成された信号である。
【００６７】
チューナ入力端子３１に入力された放送信号は、チューナ回路部３３に入力される。チューナ回路部３３は、入力された放送信号について所定の周波数のものを抽出（選局）し、中間周波信号に変換する。この中間周波信号は、チューナ出力端子３４から、第１接続端子５１３ａ及び第１端子接続パターン４５ａを介して、第１回路部４２に入力される。
【００６８】
第１回路部４２は、入力された信号に対して、復調処理を施した上で第２回路部４２に出力する。第２回路部４３は、入力された信号に対して圧縮処理を解除することで、デジタルテレビ放送の所定番組に係る映像および音声情報を取得し、これらの情報を第３回路部４４に出力する。第３回路部４４は、入力されたデジタルの映像および音声情報を、アナログの映像および音声情報に変換し、第２端子接続パターン４５ｂおよび第２接続端子５１３ｂを介して、メイン基板９に出力する。メイン基板９に出力されたアナログの映像および音声情報を処理して、映像表示装置４は映像表示や音声出力を行う。
【００６９】
なお、本発明は以上に示した実施形態に限定されないのは言うまでもない。すなわち、本発明の目的を逸脱しない範囲で種々の変更が可能である。
【００７０】
例えば、本実施形態においては、チューナ部１１と本体部１２との電気的接続を、チューナ出力端子３４と第１接続端子５１３ａとを接続することによって確保する構成とした。しかし、これに限らず、例えば、チューナ出力端子３４或いは第１接続端子５１３ａの長さを本実施形態の構成よりも長くして、チューナ出力端子３４と第１接続端子５１３ａのうちのいずれか一方の接続端子だけを設けて、チューナ部１１と本体部１２とを電気的に接続する構成としても構わない。
【００７１】
更に、本実施形態においては、チューナ部１１のチューナ出力端子３４と第１接続端子５１３ａとを接続して、チューナ部１１と本体部１２との電気的な接続を、メイン基板９を介することなく行った。この場合、メイン基板９に、チューナ部１１と本体部１２との電気的な接続を行うための配線を設ける必要がないという利点を有する。しかし、チューナ出力端子３４を本体部回路基板４１と接続することなくメイン基板９に接続する構成とし、チューナ部１１と本体部１２との電気的な接続について、メイン基板９を介して行う構成としても構わない。この場合、本体部回路基板４１のデジタルノイズをチューナ部１１に入れないことが可能となる。
【００７２】
また、本実施形態においては、放熱板６１がチューナ部１１のシャーシ３５の下蓋３５ｂと当接する構成とした。しかし、放熱効果を高められる構成であれば良く、他の形態としても構わない。例えば、下蓋３５ｂの代わりにシャーシ３５の上蓋３５ａと当接する構成でも構わないし、その他のシャーシ３５の一部と当接する構成でも構わない。また、放熱板６１をシャーシ３５の上蓋３５ａや下蓋３５ｂ等のシャーシ３５の一部と一体的に設ける構成としても構わない。
【００７３】
また、本実施形態においては、ＧＮＤ接続端子３６ａ〜３６ｄが、本体部回路基板４１とフレーム５１を貫通してメイン基板９のアースパターンと接続する構成とした。しかし、この構成に限定される趣旨ではない。すなわち、ＧＮＤ接続端子３６ａ〜３６ｄが、本体部回路基板４１とフレーム５１を貫通することなく、メイン基板９のアースパターンと接続される構成等としても良い。
【００７４】
また、メイン基板９において、ＧＮＤ接続端子３６ａ〜３６ｄが接続されるアースパターンと、第３接続端子５１３ｃが接続されるアースパターンとを接続する構成としても良い。
【００７５】
その他、受信装置３のチューナ入力端子３１の前段にアンテナを備えるようにし、受信装置単体で、放送信号（放送波）を受信できるようにしても勿論構わない。
【産業上の利用可能性】
【００７６】
本発明の受信装置を用いれば、受信装置が実装されるメイン基板の小型化を図れる。すなわち、本発明の受信装置を用いれば、例えば受信装置と映像表示装置とを備える受信システムの小型化を図れ、本発明の受信装置は当該受信システムに好適に適用できる。
【図面の簡単な説明】
【００７７】
【図１】は、本実施形態の受信システムのブロック図である。
【図２】は、本実施形態の受信装置の構成を示す概略斜視図である。
【図３】は、本実施形態の受信装置の構成を示す概略側面図で、チューナ部及び放熱板が取り付けられる前の状態を示している。
【図４】は、本実施形態のチューナ部の構成を示す概略平面図で、シャーシの上蓋が取り付けられていない状態を示している。
【図５】は、本実施形態の本体部の構成を示す概略平面図である。
【図６】は、本実施形態の本体部が取り付けられる基板取付部材の構成を示す図である。
【図７】は、図６にＡで示す範囲の拡大図である。
【図８】は、図６にＢで示す範囲の拡大図である。
【図９】は、本実施形態の受信装置をメイン基板に載置させる様子を説明するための図である。
【図１０】は、図５におけるＸ−Ｘ´間の概略的な断面図である。
【図１１】は、従来の受信装置の構成を示す図である。
【符号の説明】
【００７８】
１  受信システム
２  アンテナ
３  受信装置
４  映像表示装置
９  メイン基板（第３基板）
１１  チューナ部
１２  本体部
３１  チューナ入力端子
３２  チューナ回路基板（第１基板）
３３  チューナ回路部
３４  チューナ出力端子（接続端子）
３５  シャーシ
３５ａ  シャーシの上蓋
３５ｂ  シャーシの下蓋
３６ａ〜３６ｄ  ＧＮＤ接続端子（アース用端子）
４１  本体部回路基板（第２基板）
４２  第１回路部
４３  第２回路部
４４  第３回路部
４７  ＩＣ
５１  フレーム（基板取付部材）
６１  放熱板
５１１  板状部
５１３ａ  第１接続端子（第２基板から突出する接続端子）
【図１】
2010028634.tif 000003
【図２】
2010028634.tif 000004
【図３】
2010028634.tif 000005
【図４】
2010028634.tif 000006
【図５】
2010028634.tif 000007
【図６】
2010028634.tif 000008
【図７】
2010028634.tif 000009
【図８】
2010028634.tif 000010
【図９】
2010028634.tif 000011
【図１０】
2010028634.tif 000012
【図１１】
2010028634.tif 000013